(57)【特許請求の範囲】
【請求項１】
ディスプレイ機器本体に内蔵したディスプレイ部と、
前記ディスプレイ部を摺動させるスライドベースと、
前記ディスプレイ部が引き出された状態で前記スライドベース上で回動自在に動作する前記ディスプレイ部とを有する機器において、
前記ディスプレイ面に対してほぼ直交する面に設けられた回動可能な操作面部と、
一方が前記スライドベースに回動可能に取り付けられ、他方が前記操作面部に回動可能に取り付けられたリンクと、
該リンクの作動により前記操作面部が機器前方方向に傾斜することを特徴としたディスプレイ機器。
【発明の詳細な説明】
【０００１】
【産業上の利用分野】
本発明は、本体からディスプレイ部を押し出し、押し出し動作完了後ディスプレイ部が回動可能な車載用ディスプレイ装置に於いて、ディスプレイ部が回動した視聴位置で、チャンネル、音量等が配置されている操作パネル面を視聴時の操作に最適な状態に傾斜させる機構に関する。
【０００２】
【従来の技術】
機器本体を車のインダッシュ部等に取り付ける車載用ディスプレイ機器で、表示用ディスプレイパネルの耐候性、非使用時の衝突による危険性等を回避するために非使用時はディスプレイパネルを本体内部に格納する機器がある。これらの機器は視聴時にはディスプレイユニット部を手動またはモーター等を用いてスライドベースごと平行に押し出し、押し出しを完了した状態で手動又はモーター等で回転し正立させて用いている。ディスプイレイの収納時ディスプレイユニット部はスライドベース上に取り付けられており、摺動し、機器内部に収納されている。
従来ＴＶチャンネル選択、音量調整等の釦、そしてＴＶチャンネルの表示等を行なうコントロールパネルは、構造の簡素化のためディスプレイユニット部収納時はセットの前面にあり、視聴位置にはディスプレイユニット部が押し出され、続いて回動するためディスプレイユニット部の上面にあった。このためディスプレイユニットに取り付けられているコントロールパネルは天面となり、上方を向いたままの状態で固定されているのが普通だった。
【０００３】
【発明が解決しようとする課題】
したがって、コントロールパネルは収納時は前面に位置しているが、視聴時にはディスプレイ部が回動正立するため、表示面がディスプレイユニットの天面を向いていた。さらに、ディスプレイユニットが垂直以上の傾斜をする場合は操作面部が後方を向いてしまっていた。このため、ボタンの操作時配置されているボタンや液晶表示部の視認性が悪く操作性が悪かった。さらに、これらの状態でボタン操作を行うにはブラインドタッチあるいは一旦画面を手前に回動させる必要が有り使いずらかった。
【０００４】
【課題を解決するための手段】
上記目的を達成するために請求項１に係わる本発明は、ディスプレイ機器本体に内蔵したディスプレイ部と、前記ディスプレイ部を摺動させるスライドベースと、前記ディスプレイ部が引き出された状態で前記スライドベース上で回動自在に動作する前記ディスプレイ部とを有する機器において、前記ディスプレイ面に対してほぼ直交する面に設けられた回動可能な操作面部と、一方が前記スライドベースに回動可能に取り付けられ、他方が前記操作面部に回動可能に取り付けられたリンクと、該リンクの作動により前記操作面部が機器前方方向に傾斜することを特徴としたディスプレイ機器である。
【０００５】
【作用】
請求項１に係わる本発明の構成によれば、ディスプレイパネルを回転起立させる時リンクの作動により操作面部が起立し、自動動作で操作面部が傾斜し操作ボタン等が認識し易くなる。
【０００６】
【実施例】
以下図面を参照して本発明の実施例を説明する。
図１は本体１からディスプレイユニット２を押し出し視聴する状態を示す。ディスプレイユニット２は収納状態では内部でほぼ水平となっている。視聴する時はモーター駆動等（図省略）で平行に押し出し、押し出しが完了した位置で手動で回転正立させる。
【０００７】
図２はボタン、表示部などが配置された操作面部３をディスプレイユニット２の上部に設けイジェクトボタン７を押す事により、ばねを用いて一部を飛び出させパネル面を傾斜させる機構である。
図３は図２の内部構造を示す。ディスプレイユニット２はスライドベース１１に回動軸１１ａを用いて回動可能に取り付けられている。操作面部３はディスプレイユニット２にディスプレイユニット２の穴２ａに軸３ａが、ディスプレイユニット内側の溝２ｃに軸３ｂがそれぞれ嵌合されて取り付けられている。回動用ばね１０はディスプレイユニット２の穴２ｂと操作面部の穴３ｃとの間に各先端が差し込まれ取り付けられている。ばねの力量は回動軸３ａを中心とし軸部３ｂが上方に移動する方向にセットされている。スライド基台４は操作面部３に固定されている。スライド５はピン４ａをガイドとし左右方向ににスライドする様スライド基台４に取り付けられている。
【０００８】
スライド基台４のフック４ｂとスライドのフック５ａ間にはばね８が取り付けられておりスライド５が右方向に移動するよう引力されている。スライドカム板６はディスプレイユニット２に固定されている。スライドカム板６にはスライドピン５ｂが通過可能なように縦方向に垂直な溝穴６ａがある。さらにこの溝穴の上、下端にはそれぞれ水平方向の短溝穴６ｂ，６ｃがある。従って溝穴は略コの字状となっている。イジェクトボタン７は回動軸７ａで操作面部３に回動可能な状態で取り付けられている。イジェクトボタン７は操作面部３から一部突出しておりエジェクト操作時手で突出部７ｂを押す。
【０００９】
操作面部３を上方から押し圧し操作面部がディスプレイユニット部２に完全に収納された状態ではスライド５はスライドばね８のために右方へ引力されている。この時スライド上のピン５ｂはスライドカム６の溝穴６ｂが下端でほぼ水平になっているため係合部６ｂでスライドバネ８により係合される。ボタン７ｂ部を押すと回動軸７ａを中心としてボタン７が回動する。回動した角度分だけボタン押し部７ｃが左方向に移動する。ボタン押し部７ｃとスライドの押し部５ｃはボタンが押された時接する。ここで押された分だけスライド５は左方へ移動する。ピン５ｂはスライド５が移動したため溝穴水平部６ｄから外れる。
【００１０】
この状態で操作面部３はピン３ｂ側がばね１０により上方に押圧されているためと、垂直溝穴６ａが垂直のためにスライドピン５ｂが上方へ移動し、操作面部３は回動軸３ａを中心としてピン３ｂ側が上方へ回動する。操作面部３が回動しスライドピン５ｂが上端溝穴６ｃに突き当たると、溝穴６ｃが水平となっているため、スライド５はばね８の引力により右方へ移動し溝穴６ｃに入る。
以上により操作面部３は縦溝６ａで上方に移動した角度分だけ傾斜し、ピン５ｂとスライドカム板６の水平カム部６ｃとの係合によりキーボタン等を操作し易い傾斜した位置に固定される。なお操作面部３の収納時にも水平カム溝６ｂがピン５ｂと係合しているために操作面部３は固定されガタの無い状態にある。
【００１１】
図４はスライドベース１１、操作面部３間に立ち上げリンクを設けリンクの差動動作により釦／表示部パネルを回動傾斜させる機構である。
ディスプレイユニット２はスライドベース１１に軸１１ａを用いて回動可能に取り付けられている。操作面部３はディスプレイユニット２の天部に一方は回動可能軸３ａで取り付けられおり他方はリンク１２に回動軸１２ｂで回動可能に取り付けられている。リンク１２は一方が回動軸１２ｂで操作面部３に取り付けられており他方は回動軸１２ａによりスライドベース１１に取り付けられている。操作面部３は一端が軸３ａを中心として回動可能となっており、他端はリンク１２に回動軸１２ｂで回動可能に接続されている。
【００１２】
デスプレイユニット２は収納状態では水平になっており、モーター駆動（図省略）によりディスプレイユニット２が引き出された状態では図４の通り水平となっている。スライドベース１１が引き出された状態で視聴するためにディスプレイユニット２を水平方向から上方向に左回転で回動させるとリンク回動軸１２ａの回転中心軸はリンク１２ａであり、リンク回動軸１２ｂの回転中心軸は軸１１ａである。従って、接続されている画面部と操作面部３の回転中心が異なっている。このため、図４の通りリンク１２の回動に伴って回転軸が異なるためリンク１２が押し上げられる事となる。それに伴って接続された操作面部３は一端回動、他端自由のため１２ｂ端が押し上げられる事となる。これにより、操作面部３の操作面は斜めに立ち上がり傾斜しキーボタンを操作し易い位置となる。なお操作面部３は常時リンク１２により接合されているためガタ無く構成できる。
【発明の効果】
本案により簡単な構造で操作面部上のボタンや表示部が操作者の方向に傾くのでディスプレイ視聴時操作部の操作性や視認性が格段に向上する。
【図面の簡単な説明】
【図１】本発明の全体を示す図である。
【図２】本発明の側面図を示す。
【図３】本発明の機構を示す。
【図４】本発明の側面図を示す。
【符号の説明】
１  本体
２  ディスプレイユニット
３  操作面部
４  スライド基台
５  スライド
６  溝穴
１１  スライドベース
【図１】
0003789979.tif 000002
【図２】
0003789979.tif 000003
【図３】
0003789979.tif 000004
【図４】
0003789979.tif 000005